(57)【要約】【課題】  注出開口を覆って装着されるキャップ天面の形状にかかわらず、容器を倒立状態で保持しておくことのできる首掛けラベル付き容器を提供する。【解決手段】  首掛け開口１４が形成された襟巻き片１５と、襟巻き片１５の対向する辺部１６から各々下方に折り曲げられる一対のスカート片１７ａ，１７ｂとを備える首掛けラベル１３を容器１１の首部１８に装着してなる首掛けラベル付き容器１０であって、首掛けラベル１３の各スカート片１７ａ，１７ｂには、辺部１６と平行に折曲げ誘導線１９が設けられている。容器１１から取り外した首掛けラベル１３を折曲げ誘導線１９で折り曲げて、スカート片１７ａ，１７ｂの折曲げ誘導線１９よりも先端側の部分２０ａ，２０ｂを底面部とし、襟巻き片１５を天面部として立体形状の組立スタンドを形成する。天面部の首掛け開口１４に容器１１の下端部を挿入配置して、容器１１を倒立状態に保持する。【選択図】      図１
2005186989.tif 000002
【特許請求の範囲】
【請求項１】
首掛け開口が形成された襟巻き片と、該襟巻き片の対向する辺部から各々下方に折り曲げられて連接する一対のスカート片とを備える首掛けラベルを、容器の首部に装着してなる首掛けラベル付き容器であって、
前記首掛けラベルの各スカート片には、前記辺部と平行に延設する折曲げ誘導線が設けられており、
前記容器から取り外した首掛けラベルを前記折曲げ誘導線で折り曲げて、前記スカート片の前記折曲げ誘導線よりも先端側の部分を底面部とし、前記襟巻き片を天面部として立体形状の組立スタンドを形成し、前記天面部の首掛け開口に容器の上端部又は下端部を挿入配置して、該容器を倒立状態又は正立状態に保持する首掛けラベル付き容器。
【請求項２】
前記首掛けラベルは、折り曲げ後の形状を保持できる保形剛性を備える、紙又はプラスチックによるシート板によって形成される請求項１記載の首掛けラベル付き容器。
【請求項３】
前記スカート片の前記折曲げ誘導線よりも先端側の部分には、一方のスカート片に差込み用舌状片が、他方のスカート片に差込み用切込みが各々形成されており、これらのスカート片を重ね合わせるようにしつつ前記差込み用舌状片を前記差込み用切込みに挿入係止することにより、前記組立スタンドをロの字断面形状に保持する請求項１又は２に記載の首掛けラベル付き容器。
【発明の詳細な説明】
【技術分野】
【０００１】
本発明は、首掛け開口が形成された襟巻き片と一対のスカート片とからなる首掛けラベルを容器の首部に装着してなる首掛けラベル付き容器に関する。
【背景技術】
【０００２】
化粧品、洗剤、食品等を収容する容器として、例えばボトル状の容器やチューブ状の容器が用いられることが多く、これらの容器は、内容物が収容された後にキャップ等を装着することによって製品化され、使用者は、キャップ等を取り外したり装着し直したりしながら、内容物を使用する。また、これらの容器は、容器の表面に印刷やラベルによる表示や装飾を施して、消費者に内容物の種類を識別させると共に、他の同類の商品と明確に区別させ、商品の信頼性を向上させたり、販売の促進を図っている。
【０００３】
さらに、例えば新製品の販売時や、特別な販売キャンペーンの最中等においては、商品の広告宣伝効果を一層高めることを目的として、首部に首掛けラベルを装着して容器を販売することがある。このような首掛けラベルは、フィルム材料の他に、プラスチック製の薄いシート状の板や板紙等からなる、折曲げ後の形状を保持できるような保形剛性を備えるシート板を用いて形成される場合があり、これらの首掛けラベルは、首掛け用の開口部に容器の首部を挿入つつ装着されることによって、ボトル容器の胴部の外周面を部分的に覆って取り付けられる。
【０００４】
そして、このような首掛けラベルとしては、その宣伝広告効果や、容器に装着された際の取り扱い易さ、コストの軽減等を鑑みて、種々の形態・形状のものが開発されている（例えば、特許文献１、特許文献２、特許文献３参照）。
【特許文献１】特開平１１−１８４３７８号公報
【特許文献２】特開２０００−２２７７５８号公報
【特許文献３】特開２００２−９１３０９号公報
【発明の開示】
【発明が解決しようとする課題】
【０００５】
一方、容器に収容される化粧品、洗剤、食品等の内容物が、例えば高粘度のものである場合、残量が少なくなると、キャップ等を取り外した後に、注出開口から離れた箇所に残存する内容物を注出開口まで移動させるのに手間がかかって、スムーズな注出を行うことができない場合がある。このため、例えばキャップ等の天面を平坦且つ相当の接地面積を備えるように形成し、当該キャップ等を容器に装着した後に、天面を設置面に載置させて容器を倒立させた状態のまま保持することを可能にして、残存した内容物をその自重によって下方に移動させて注出開口の近くに滞留させ、次の使用時に残存した内容物を注出開口から迅速に注出できるようにする工夫がなされている。
【０００６】
しかしながら、容器のデザイン性や取扱い易さ等の観点から、注出開口を覆って装着されるキャップ等の天面を相当の大きさの平坦面となるように形成するのが適当でない場合が多く、このような容器は、安定した状態で倒立させておくこことは困難である。また、陳列時に立設した状態となっているものでも、購入後に使用する際には自立した状態とならない容器も多いが、このような容器を使用後に立設状態で保管しておきたい場合もある。
【０００７】
本発明は、注出開口を覆って装着されるキャップ等の天面の形状にかかわらず、容器を倒立状態で保持しておくことを可能にすると共に、自立する機能を備えていない容器でも、立設状態で保管しておくことを可能にする首掛けラベル付き容器を提供することを目的とする。
【課題を解決するための手段】
【０００８】
本発明は、首掛け開口が形成された襟巻き片と、該襟巻き片の対向する辺部から各々下方に折り曲げられて連接する一対のスカート片とを備える首掛けラベルを、容器の首部に装着してなる首掛けラベル付き容器であって、前記首掛けラベルの各スカート片には、前記辺部と平行に延設する折曲げ誘導線が設けられており、前記容器から取り外した首掛けラベルを前記折曲げ誘導線で折り曲げて、前記スカート片の前記折曲げ誘導線よりも先端側の部分を底面部とし、前記襟巻き片を天面部として立体形状の組立スタンドを形成し、前記天面部の首掛け開口に容器の上端部又は下端部を挿入配置して、該容器を倒立状態又は正立状態に保持する首掛けラベル付き容器を提供することにより、上記目的を達成したものである。
【０００９】
ここで、本発明において、各スカート片に形成される折曲げ誘導線は、例えば厚紙やプラスチック等からなる平板状のシート材料に、例えば罫線、ミシン目、半切線、弱化線、ヒンジ線等を直線状に設けることによって形成されるもので、当該誘導線を挟んだ両側を把持してシート材料に曲げ応力を加えた際に、当該誘導線に沿って優先的に折り曲げられるように誘導して、他の部分に折曲げ線が及ばないようにする機能を備える誘導線である。
【００１０】
なお、本発明によれば、容器から首掛けラベルを取り外して形成された組立スタンドは、首掛けラベルが取り外された当該容器を立設させる場合のみならず、他の容器を倒立状態又は正立状態に保持するために用いることもできる。
【発明の効果】
【００１１】
本発明の首掛けラベル付き容器によれば、注出開口を覆って装着されるキャップ等の天面の形状にかかわらず、容器を倒立状態で保持しておくことができると共に、自立する機能を備えていない容器でも、立設状態で保管しておくことができる。
【発明を実施するための最良の形態】
【００１２】
図１（ａ）及び（ｂ）に示す本発明の好ましい一実施形態に係る首掛けラベル（首掛けリーフレット）付き容器１０は、内容物として例えば高粘度の液状の化粧料等を収容した小型のボトル形状の容器１１に、容器本体１２の周面の前後上半部分を覆うようにして首掛けラベル１３を装着してなるものである。本実施形態によれば、収容された化粧料等の内容物は例えば５００〜１０００００程度の粘度を有していて、残量が少なくなると、使用時に注出開口から当該内容物を注出するのに時間がかかることから、首掛けラベル１３を利用して、残存した内容物を注出開口からスムーズに注出できるようにするものである。
【００１３】
そして、本実施形態の首掛けラベル付き容器１０は、首掛け開口１４が形成された襟巻き片１５と、襟巻き片１５の対向する辺部１６，１６から各々下方に折り曲げられて連接する一対のスカート片１７ａ，１７ｂ（図２（ａ）参照）とを備える首掛けラベル１３を、容器１１の首部１８に装着してなるボトル状の容器であって、首掛けラベル１３の各スカート片１７ａ，１７ｂには、当該スカート片１７ａ，１７ｂが連接する辺部１６，１６と平行に延設する折曲げ誘導線１９，１９が設けられており、容器１１から取り外した首掛けラベル１３を折曲げ誘導線１９，１９で折り曲げて、スカート片１７ａ，１７ｂの折曲げ誘導線１９，１９よりも先端側の部分２０ａ，２０ｂを底面部とし、襟巻き片１５を天面部として立体形状の組立スタンド２１を形成し、天面部の首掛け開口１４に容器１１の上端部を挿入配置して、容器１１を倒立状態に保持するようになっている。
【００１４】
また、本実施形態によれば、スカート片１７ａ，１７ｂの折曲げ誘導線１９よりも先端側の部分２０ａ，２０ｂには、一方のスカート片１７ａに差込み用舌状片２２が、他方のスカート片１７ｂに差込み用切込み２３（図２（ａ）参照）が各々形成されており、スカート片１７ａ，１７ｂを重ね合わせるようにしつつ差込み用舌状片２２を差込み用切込２３に挿入係止することにより、組立スタンド２１をロの字断面形状の中空箱状に保持するようになっている。
【００１５】
本実施形態によれば、首掛けラベル１３は、折り曲げ後の形状を容易に保持できる程度の保形剛性を備える、例えば図２（ａ）に示すような、好ましくは紙製又はプラスチック製の縦長矩形形状のシート板２４を用いて形成される。すなわち、シート板２４の略中央部分に、キャップ２５を装着した容器１１の上端頭部２６は通過させるが（図１（ａ），（ｂ）参照）、容器１１の肩部２７は通過させない大きさの円形の首掛け開口１４を切り抜き形成する。また、この首掛け開口１４を挟んだ両側に位置する、シート板２４の長辺２４ａと垂直な一対の折れ線２８と、当該シート板２４の長辺２４ａとによって区画される矩形形状の部分を襟巻き片１５とすると共に、一対の折れ線２８を襟巻き片１５の対向する辺部１６，１６として、これの外側部分を襟巻き片１５に対して略垂直に各々折り曲げることにより、当該折り曲げられた部分を一対のスカート片１７ａ，１７ｂとする。
【００１６】
さらに、各スカート片１７ａ，１７ｂには、同様の間隔をおいて折れ線２８と離れた位置に、例えばミシン目等からなる折曲げ誘導線１９，１９が、各辺部１６，１６と平行に延設して各々設けられる。また一方のスカート片１７ａの折曲げ誘導線１９よりも先端側の部分２０ａには、切込み線を入れて差込み用舌状片２２が形成されると共に、他方のスカート片１７ｂの折曲げ誘導線１９よりも先端側の部分２０ｂには、切込み線を入れて差込み用切込２３が形成される。なお、差込み用切込２３が設けられた先端側の部分２０ｂの長さは、差込み用舌状片２２が設けられた先端側の部分２０ａの長さよりも若干短くなっており、また差込み用舌状片２２が設けられた先端側の部分２０ａは、襟巻き片１５と略同様の矩形形状を備えている。
【００１７】
このような構成を有する首掛けラベル１３によれば、襟巻き片１５に対して略垂直に連接する一対のスカート片１７ａ，１７ｂを、さらに折曲げ誘導線１９に沿って略垂直に折り曲げ、例えば図２（ｂ）に示すように、折曲げ誘導線１９よりも先端側の部分２０ａ，２０ｂを、差込み用切込２３が形成された先端側の部分２０ｂを内側に配設しつつ重ね合わせるようにして配置すると共に、差込み用舌状片２２を外側から押し込むようにしつつ差込み用切込２３に差し込んで挿入係止することにより、ロの字断面形状の中空箱状の安定した形態の組立スタンド２１が、容易且つスムーズに形成されることになる。
【００１８】
そして、首掛けラベル１３を容器１１の首部１８に装着してなる本実施形態の首掛けラベル付き容器１０によれば、注出開口を覆って取り付けられたキャップ２５の天面の形状にかかわらず、容器１１を倒立状態で容易に保持しておくことができる。すなわち、本実施形態によれば、図１（ａ）に示す購入時における状態から、キャップ２５を着脱しつつ消費者が容器１１を使用する際に、容器１１から取り外した首掛けラベル１３を中空箱状に組み立ててロの字断面形状の組立スタンド２１を形成し、図３に示すように、折曲げ誘導線１９よりも先端側の部分２０ａ，２０ｂによる相当の接地面積を有する底面を設置面に接触させて載置すれば、首掛け開口１４が形成された襟巻き片１５を天面部とする安定した立設スタンドが形成されるので、キャップ２５を装着した容器１１の上端頭部２６を逆さにして首掛け開口１４に挿入することにより、組立スタンド２１によって効果的に支持させて、安定した倒立状態で容器１１を保持することが可能になる。
【００１９】
また、容器１１に収容された内容物である例えば化粧料等を使用して残量が少なくなった場合でも、容器１１の倒立状態を保持して残存した内容物をその自重によって下方に移動させ、注出開口の近くに滞留させることにより、次の使用時に残存した内容物を注出開口から迅速に注出させることが可能になる。
【００２０】
本発明は上記実施形態に限定されることなく種々の変更が可能である。例えば襟巻き片を天面部とする立体形状の組立スタンドは、ロの字断面形状を有する中空箱状に形成する必要は必ずしもなく、容器を立設状態で保持するのに十分な安定性を備えるものであれば、例えば図４（ａ）に示すように、折曲げ誘導線２９，２９よりも先端側の部分３０，３０を重ね合わせることなく単に内側に折り曲げて組立スタンドとしたり、例えば図４（ｂ）に示すように、折曲げ誘導線２９，２９よりも先端側の部分３０，３０を外側に折り曲げて組立スタンドとすることもできる。
【００２１】
また、容器は、ボトル形状の容器である必要は必ずしもなく、購入後の使用時に自立する機能を備えていない例えばチューブ容器等であっても良い。さらに、これらの容器は、倒立状態のみならず正立状態で立設させて保管することもできる。
【００２２】
さらにまた、容器に収容される内容物は、化粧料に限定されることなく、洗剤や食品等のその他の種々の内容物を収容することができ、またその粘度は特に限定されるものではなく、液体以外の粒状体や紛状体を内容物として収容することもできる。
【００２３】
また、例えばロの字断面形状を有する中空箱状の組立スタンドを組み立てる際には、差込み用舌状片を差込み用切込みに挿入係止して組み立てる方法の他、例えば剥離紙で覆われた状態で首掛けラベルに取り付けられた接着剤や粘着剤を介して、組立スタンドを組み立てることもできる。
【図面の簡単な説明】
【００２４】
【図１】（ａ）は本発明の一実施形態に係る首掛けラベル付き容器を示す斜視図、（ｂ）は首掛けラベルを用いて容器を倒立状態で保持した状態を示す斜視図である。
【図２】（ａ）は首掛けラベルを形成するためのシート板を示す平面図、（ｂ）は首掛けラベルを用いて形成された組立スタンドの斜視図である。
【図３】組立スタンドを用いて容器を倒立状態で保持する状況を説明する斜視図である。
【図４】（ａ）及び（ｂ）は組立スタンドの他の形態を例示する略示側面図である。
【符号の説明】
【００２５】
１０  首掛けラベル付き容器
１１  容器
１２  容器本体
１３  首掛けラベル
１４  首掛け開口
１５  襟巻き片
１６  襟巻き片の対向する辺部
１７ａ，１７ｂ  スカート片
１８  容器の首部
１９，２９  折曲げ誘導線
２０ａ，２０ｂ，３０  スカート片の折曲げ誘導線よりも先端側の部分
２１  組立スタンド
２２  差込み用舌状片
２３  差込み用切込
２４  シート板
２５  キャップ
２６  容器の上端頭部（上端部）
２７  容器の肩部
【図１】
2005186989.tif 000003
【図２】
2005186989.tif 000004
【図３】
2005186989.tif 000005
【図４】
2005186989.tif 000006